(57)【特許請求の範囲】
【請求項１】
２以上の特定数のランプが配置される前記特定数のランプ取付口を円周状に配置した天部を有し、ランプ光を放出する放出口を底部に有する半球状の主笠を備え、
前記主笠は、
間隔を空けて円周状に配置され前記主笠の一部を形成する前記特定数の部品板Ａであって、前記特定数のランプ取付口のうち隣り合う２つのランプ取付口それぞれの周部の一部となる円弧を両側に形成する槍状の先端部を有する前記特定数の部品板Ａと、
前記特定数の部品板Ａの間に配置され前記主笠の一部を形成する前記特定数の部品板Ｂであって、両隣りに配置される２枚の部品板Ａそれぞれの先端部の円弧と共に１つのランプ取付口の周部を形成する円弧状の先端部を有する前記特定数の部品板Ｂとにより形成される
ことを特徴とする照明器具。
【請求項２】
前記特定数の部品板Ａは、三角形の上部の両側部を円弧状に切り取った形状の平板Ａを折り曲げ加工して断面が弓形状に形成された多面体板であって、前記平板Ａの上部で前記槍状の先端部を形成する多面体板であり、
前記特定数の部品板Ｂは、台形の上部を円弧状に切り取った形状の平板Ｂを折り曲げ加工して断面が弓形状に形成された多面体板であって、前記平板Ｂの上部で前記円弧状の先端部を形成する多面体板である
ことを特徴とする請求項１記載の照明器具。
【請求項３】
前記特定数の部品板Ａは、隣り合う部品板Ｂに嵌め合わされるツメを有し、
前記特定数の部品板Ｂは、隣り合う前記部品板Ａのツメが嵌め合わされるスリットを有する
ことを特徴とする請求項１または請求項２記載の照明器具。
【請求項４】
前記特定数の部品板Ａは、隣り合う部品板Ｂが嵌め合わされる上向きの切欠きを有し、
前記特定数の部品板Ｂは、隣り合う前記部品板Ａの切欠きに嵌め合わされる下向きの切欠きを有する
ことを特徴とする請求項１〜請求項３いずれかに記載の照明器具。
【請求項５】
前記照明器具は、さらに、前記主笠の放出口からスカート状の筒部を形成する付属笠を備え、
前記付属笠は、ランプ遮光角において前記主笠の内面を遮蔽する高さを有する
ことを特徴とする請求項１〜請求項４いずれかに記載の照明器具。
【請求項６】
前記主笠は、
前記付属笠の表面の反射率に比べて高反射率の表面を有する
ことを特徴とする請求項５記載の照明器具。
【発明の詳細な説明】
【技術分野】
【０００１】
本発明は、例えば、器具効率や意匠性に優れた照明器具に関するものである。
【背景技術】
【０００２】
従来、ダウンライト等に用いられる反射笠としては一般的に半球面のものが使用されている。
また、反射笠の表面は、通常、化学研磨、電解研磨またはバフ加工などがなされたあとにアルマイト処理をおこなったものが一般的であり、それらの反射率は概ね９０％未満である。
そして、照明器具の効率を向上させるために、反射笠の表面にアルミまたは銀を蒸着させることにより反射効率を向上させる方法が取られている。
また、その他に、反射光の方向性の制御や高反射率の材料の使用を目的として多面体で構成された反射笠を照明器具に採用する例もある。
【特許文献１】実用新案登録第３１０６７６８号公報
【特許文献２】実用新案登録第３０９３９１２号公報
【発明の開示】
【発明が解決しようとする課題】
【０００３】
しかし、反射効率を向上させるために反射笠の表面にアルミまたは銀を蒸着させる場合、特に大型の反射笠の製造は、加工設備の制約等もあり高コストとなっている。
また、反射光の方向性の制御や高反射率の材料の使用を目的として多面体で構成された従来の反射笠は、意匠性が特異であり、照明器具として設置した空間の意匠性を損なうため普及していない。
【０００４】
本発明は、例えば、天井に設置された状態において従来と変わらない意匠性を保ち、低コストで、器具効率の良い照明器具を提供できるようにすることを目的とする。
【課題を解決するための手段】
【０００５】
本発明の照明器具は、ランプが内側に配置されランプ光を放出する放出口を有する碗状の主笠と、前記主笠の放出口からスカート状の筒部を形成する付属笠とを備え、上記主笠は複数枚の部品板で形成されることを特徴とする。
【発明の効果】
【０００６】
本発明によれば、高反射率の主笠と従来と同様な意匠性を有する付属笠とを備えることで、例えば、天井に設置された状態において従来と変わらない意匠性を保ち器具効率の良い照明器具を低コストで提供することが可能になる。
【発明を実施するための最良の形態】
【０００７】
実施の形態１．
高反射率の主笠とランプ遮光角において主笠の内面を遮蔽する高さを有し従来と同様な意匠性を持つ付属笠とを備える照明器具（特に、照明笠）について以下に説明する。
特に、９０％以上の反射率を有する材料を用いて様々な方向への反射面を持つように折り曲げた反射板を複数組み合わせることにより構成する高効率反射笠（主笠）を有する照明器具について以下に説明する。
また、ランプ遮光角以下の開口部分を深絞り成型した深絞り反射笠（付属笠）と上記高効率反射笠（主笠）とを有する構造の照明器具について説明する。
【０００８】
図１は、実施の形態１における照明器具１００を示す下方からの斜視図である。
図２は、実施の形態１における照明器具１００を示す上方からの斜視図である。
図１、図２に示すように、照明器具１００は、高効率反射部材で構成される主笠の多面体反射笠１１０と付属笠である深絞り反射笠１２０とを有し、ランプ１３０が内側に取り付けられる。
【０００９】
多面体反射笠１１０は、器具効率を高めるため、高い光反射率（例えば、９０％以上）の材料（例えば、ミロ材）を用いた複数の反射板を組合せて構成する照明笠である。
多面体反射笠１１０は、底部を開口した碗形状で、ランプ１３０が天部内側に配置され、高反射率を持つ内面（表面）でランプ光を反射し、放出口（開口部）からランプ光を放出する。
また、多面体反射笠１１０はポリゴン状に碗形を形成する。
【００１０】
深絞り反射笠１２０は、実施の形態１における照明器具１００の意匠性を従来の照明器具の意匠性と同等にするため、つまり、照明器具の意匠性を損なわないために、従来と同様に絞り加工にて成型された照明笠であり、多面体反射笠１１０の開口部（放出口）近辺に配置される。
深絞り反射笠１２０は多面体反射笠１１０の放出口からスカート状に形成した筒部を有し、深絞り反射笠１２０が有する筒部は多面体反射笠１１０の放出口から放出されたランプ光を入射口で入射して底部で開口する出射口から出射する。
深絞り反射笠１２０は全体で、例えば、筒状、碗状、釣鐘状を形成する。
また、全体で筒状を形成する深絞り反射笠１２０は多面体反射笠１１０の内側または外側に配置され、全体で碗状または釣鐘状を形成する深絞り反射笠１２０は多面体反射笠１１０の天部から底部の方向に被せて配置される（付属笠配置工程）。
深絞り反射笠１２０は、一般的な光反射率または多面体反射笠１１０の反射率に比べて低い光反射率（例えば、９０％未満）の材料（例えば、表面を化学研磨アルマイト処理されたもの）を少なくとも内面に使用し、深絞り、へら絞りなどの絞り加工により曲面形に成形された照明笠である。
【００１１】
図１、図２は、深絞り加工にて成形された筒状の深絞り反射笠１２０を多面体反射笠１１０の内側に配置して組み立てた照明器具１００の例である。
【００１２】
ここで、器具効率とは、ランプが発した光を照明器具の内面で反射し外に出射する効率であり、ランプ単体の場合に観測される光束量に対するランプを照明器具に取り付けた場合に照明器具の外で観測される光束の割合である。
【００１３】
次に、多面体反射笠１１０と深絞り反射笠１２０とランプ１３０との関係について説明する。
図３は、実施の形態１における照明器具１００の正面断面図である。
図３に示すように、実施の形態１における照明器具１００は深絞り反射笠１２０にランプ遮光角θを有する。
【００１４】
ここで、ランプ遮光角θとは、照明器具が外部からランプを遮蔽する水平方向に対する角度である。ランプ遮光角θが大きいほどランプの直接光を遮蔽する範囲をランプに近づく方向に向けることができる（すなわち、光は峡範囲［真下方向］に放射され、ランプは人間の目から隠れやすくなる）。また、ランプ遮光角θが小さいほどランプの直接光を出射する範囲をランプから遠ざかる方向に広がることができる（すなわち、光は広範囲に放射され、ランプは人間の目から直視されやすくなる）。そのため、ランプ遮光角θとして１０°以上、特に１０°〜３０°、また特に１５°〜２５°程度の角度が望まれている。
【００１５】
また、実施の形態１における照明器具１００は、図３に示すように、ランプ遮光角θにおいて多面体反射笠１１０の内面を遮蔽する高さＢを深絞り反射笠１２０に有する。
【００１６】
従来の高反射率を有さない照明笠は、適正なランプ遮光角θを有することでランプの直接光を遮蔽できても、光反射率が低いため器具効率が低い。
また、従来の高反射率の材料のみを使用した照明笠は、光反射率が高いため適正なランプ遮光角θを有することでランプの直接光を遮蔽すると共に器具効率の低下を抑止することはできても、光反射率が高いために照明笠の内面に発生するグレアを遮蔽することができないことに加え意匠性が悪い。
【００１７】
しかし、実施の形態１における照明器具１００は、高反射率である多面体反射笠１１０を備えると共に、適正なランプ遮光角θとランプ遮光角θにおいて多面体反射笠１１０の内面を遮蔽する高さＢとを有する高反射率でない深絞り反射笠１２０を備えることで、器具効率を高めることができ、また、ランプの直接光を遮蔽することができ、また、多面体反射笠１１０の内面に発生するグレアを遮蔽することができ、さらに、意匠性を確保することができる。
【００１８】
例えば、図３に示すように実施の形態１における照明器具１００は、器具効率を高めるために多面体反射笠１１０の高さより高いランプ１３０を取り付けてランプ１３０の一部を多面体反射笠１１０から露出させ、多面体反射笠１１０が有する高さ「Ａ」とランプ１３０が有する高さ「Ｃ」との比「Ａ：Ｃ」をおよそ「４：５」とする。
また、実施の形態１における照明器具１００は、従来の意匠性を維持するためや多面体反射笠１１０の内面に発生するグレアを外部から遮蔽するために、深絞り反射笠１２０にランプ遮光角θ（１５°）程度までの高さを有し、多面体反射笠１１０が有する高さ「Ａ」と深絞り反射笠１２０が有する高さ「Ｂ」との比「Ａ：Ｂ」をおよそ「２：１」とする。
【００１９】
多面体反射笠１１０が有する高さ「Ａ」とは、多面体反射笠１１０内部の高さであり、天部から開口部（放射口）までの高さであり、天部から深絞り反射笠１２０の筒部までの高さであり、天部から深絞り反射笠１２０の入射口までの高さである。
また、深絞り反射笠１２０が有する高さ「Ｂ」とは、筒部の高さであり、入射口から出射口までの高さである。
また、ランプ１３０が有する高さ「Ｃ」とは、照明器具１００に取り付けた際の多面体反射笠１１０の天部からの高さである。
【００２０】
次に、多面体反射笠１１０の成形方法について説明する。
図４は、実施の形態１における多面体反射笠１１０を分解した上方からの斜視図である。
図４に示すように、多面体反射笠１１０は、ランプ光を効率よく照明器具外に反射させるように多段曲げされた多面体反射板１１１（反射板Ａ  １１１ａ、反射板Ｂ  １１１ｂ）を、ランプ１３０を中心に、円周状に複数配置して構成する。
【００２１】
ミロ材に代表される高反射率を有する部材は加工しづらく絞り加工で曲面を形成するとコーティングが壊れるという課題がある。そのため、従来は、高反射率を得るため、絞り加工により曲面を形成した照明笠の内面にアルミまたは銀を蒸着して反射率を高める方法が取られている。
しかし、曲面を形成する照明笠にアルミや銀を均一に蒸着することは難しく、照明笠の各部分で光反射率が異なるという課題がある。
【００２２】
そこで、実施の形態１における多面体反射笠１１０は、少なくとも一方の面が高反射率を有する複数枚の平板（光反射材である部品板、例えば、ミロ材）を高反射率である面を内側にして横方向に外側から曲げて、断面を弓形状に成形する（部品板成形工程）。
成形する平板は三角形状、台形状、ホームベース状、キャッチャーのプロテクター状などのように上端部が狭く、下端部が広い形状であり、ポリゴン状に多面体を形成し断面を弓形状にして擬似曲面を形成した多面体反射板１１１である。
これにより、実施の形態１における多面体反射笠１１０は上記の課題を解決することができる。
【００２３】
また、多面体反射笠１１０は複数毎の多面体反射板１１１を円周状に並べて形成する。特に、３枚以上の多面体反射板１１１を使用することで擬似半球（碗状）を形成する。また、特に、配置するランプ１３０の数の整数倍を多面体反射板１１１の枚数とすることで碗状を形成する。
例えば、照明器具１００にランプ１３０を４つ取り付ける場合、図４に示すように、反射板Ａ  １１１ａと反射板Ｂ  １１１ｂとを交互に並べて８枚の多面体反射板１１１で多面体反射笠１１０を形成する。図４に示すように、１枚の反射板Ｂ  １１１ｂとその両隣に並べた２枚の反射板Ａ  １１１ａとで１つのランプ１３０を取り付けるランプ取付口を形成する。
反射板Ａ  １１１ａは上端部に槍状またはダイヤ状の先端部を有し、その先端部をランプ間に位置させる。また、反射板Ｂ  １１１ｂは上端部を丸首状またはエプロン状のように円弧形状の先端部とし、その先端部をランプの手前に位置させる。
【００２４】
図５は、実施の形態１における折り曲げ後の反射板Ａ  １１１ａの正面図である。
図６は、実施の形態１における折り曲げ後の反射板Ａ  １１１ａの左側面図である。
図７は、実施の形態１における折り曲げ後の反射板Ａ  １１１ａのＦａ方向からの平面図である。
図８は、実施の形態１における折り曲げ後の反射板Ａ  １１１ａの上方からの斜視図である。
図９は、実施の形態１における反射板Ａ  １１１ａのＡ１部を拡大した左側面図である。
図１０は、実施の形態１における反射板Ａ  １１１ａのＡ１部を拡大した平面図である。
図１１は、実施の形態１における反射板Ａ  １１１ａのＡ６部を拡大した正面図である。
６箇所で折り曲げ７つの面（Ａ０、Ａ１、Ａ２、Ａ３、Ａ４、Ａ５、Ａ６）を有する反射板Ａ  １１１ａについて図６〜図１１に基づいて以下に説明する。
【００２５】
図７および図８に示すように、面Ａ０はランプ取付口部分を有する。残りの面Ａ１〜面Ａ６は反射板Ｂ  １１１ｂと接する面である。
図５、図６および図８に示すように、反射板Ｂ  １１１ｂと嵌め合って接合するための部品として、面Ａ１がツメ１１３を有すると共に、面Ａ６が切欠きＡ  １１４ａを有する。
ツメ１１３は、図９および図１０に示すように、面Ａ１に対しておおよそ直角に伸びる板状の部品である。
切欠きＡ  １１４ａは、図１１に示すように、上方向への切込みを有する。
図５に示すように、反射板Ｂ  １１１ｂと接する６つの面（Ａ１、Ａ２、Ａ３、Ａ４、Ａ５、Ａ６）のそれぞれの幅（Ｗａ１、Ｗａ２、Ｗａ３、Ｗａ４、Ｗａ５、Ｗａ６）は「Ｗａ１＜Ｗａ２＜Ｗａ３＜Ｗａ４＜Ｗａ５＜Ｗａ６（または、Ｗａ１≦Ｗａ２≦Ｗａ３≦Ｗａ４≦Ｗａ５≦Ｗａ６）」の関係に有る。隣接する各面の幅の比率は、上面の幅に対して下面の幅がおおよそ「１．０倍〜１．３倍」の関係にあり、特に、上方に有るほど、上面の幅に対する下面の幅の比率が大きい。
図６に示すように、反射板Ａ  １１１ａは断面を弓形状に形成する。また、反射板Ｂ  １１１ｂと接する６つの面（Ａ１、Ａ２、Ａ３、Ａ４、Ａ５、Ａ６）のそれぞれの長さ（Ｌａ１、Ｌａ２、Ｌａ３、Ｌａ４、Ｌａ５、Ｌａ６）は「Ｌａ１≒Ｌａ２≒Ｌａ３≒Ｌａ４≒Ｌａ５≒Ｌａ６」の関係に有り、反射板Ａ  １１１ａの高さＨａとの比率「Ｈａ：Ｌａｘ［ｘ：１〜６］」はおおよそ「４：１」の関係に有る。また、面Ａ１と面Ａ２、面Ａ２と面Ａ３、面Ａ３と面Ａ４および面Ａ４と面Ａ５が成すそれぞれの角（α１、α２、α３、α４）は「α１＜α２＜α３＜α４（または、α１≦α２≦α３≦α４）」の関係に有る。α１、α２、α３およびα４の各角度αｘはおおよそ「１６０°≦αｘ≦１８０°」であり、上下に位置する角度（α１［上］とα２［下］、α２［上］とα３［下］またはα３［上］とα４［下］）の比率は、下の角度に対して上の角度がおおよそ「１．００倍〜１．０５倍」の関係にあり、特に、上方にあるほど、下の角度に対する上の角度の比率が大きい。また、面Ａ０と面Ａ１とが成す角α０と、面Ａ５と面Ａ６とが成す角α５とは「α０≒α５」の関係に有り、おおよそ「設置器具１５０°≦α０（またはα５）≦１６０°」である。また、反射板Ａ  １１１ａの断面の幅（奥行き）Ｗａと反射板Ａ  １１１ａの高さＨａとでは、おおよそ「Ｌａ０−Ｌａ６」分、Ｗａの方が長い。
【００２６】
図１２は、実施の形態１における折り曲げ後の反射板Ｂ  １１１ｂの正面図である。
図１３は、実施の形態１における折り曲げ後の反射板Ｂ  １１１ｂの左側面図である。
図１４は、実施の形態１における折り曲げ後の反射板Ｂ  １１１ｂのＦｂ方向からの平面図である。
図１５は、実施の形態１における折り曲げ後の反射板Ｂ  １１１ｂの上方からの斜視図である。
図１６は、実施の形態１における折り曲げ後の反射板Ｂ  １１１ｂのＢ１部を拡大した正面図である。
５箇所で折り曲げ６つの面（Ｂ１、Ｂ２、Ｂ３、Ｂ４、Ｂ５、Ｂ６）を有する反射板Ｂ  １１１ｂについて図１２〜図１６に基づいて以下に説明する。
【００２７】
図１２、図１４〜図１６に示すように、面Ｂ１はランプ取付口部分を有し、面Ｂ１〜面Ｂ６で反射板Ａ  １１１ａと接する。
図１２、図１４〜図１６に示すように、反射板Ａ  １１１ａと嵌め合い接合するための部品として、面Ｂ１がスリット１１２を有すると共に、面Ｂ６が切欠きＢ  １１４ｂを有する。
切欠きＢ  １１４ｂは、図１２に示すように、下方向への切込みを有する。
図１２に示すように、反射板Ａ  １１１ａと接する６つの面（Ｂ１、Ｂ２、Ｂ３、Ｂ４、Ｂ５、Ｂ６）のそれぞれの幅（Ｗｂ１、Ｗｂ２、Ｗｂ３、Ｗｂ４、Ｗｂ５、Ｗｂ６）は「Ｗｂ１＜Ｗｂ２＜Ｗｂ３＜Ｗｂ４＜Ｗｂ５＜Ｗｂ６（または、Ｗｂ１≦Ｗｂ２≦Ｗｂ３≦Ｗｂ４≦Ｗｂ５≦Ｗｂ６）」の関係に有る。隣接する各面の幅の比率は、上面の幅に対して下面の幅がおおよそ「１．０倍〜１．３倍」の関係にあり、特に、上方に有るほど、上面の幅に対する下面の幅の比率が大きい。
図１３に示すように、反射板Ｂ  １１１ｂは断面を弓形状に形成する。また、反射板Ａ  １１１ａと接する６つの面（Ｂ１、Ｂ２、Ｂ３、Ｂ４、Ｂ５、Ｂ６）のそれぞれの長さ（Ｌｂ１、Ｌｂ２、Ｌｂ３、Ｌｂ４、Ｌｂ５、Ｌｂ６）は「Ｌｂ１≒Ｌｂ２≒Ｌｂ３≒Ｌｂ４≒Ｌｂ５≒Ｌｂ６」の関係に有り、反射板Ｂ  １１１ｂの高さＨｂとの比率「Ｈｂ：Ｌｂｘ［ｘ：１〜６］」はおおよそ「４：１」の関係に有る。また、面Ｂ１と面Ｂ２、面Ｂ２と面Ｂ３、面Ｂ３と面Ｂ４および面Ｂ４と面Ｂ５が成すそれぞれの角（β１、β２、β３、β４）は「β１＜β２＜β３＜β４（または、β１≦β２≦β３≦β４）」の関係に有る。β１、β２、β３およびβ４の各角度βｘはおおよそ「１６０°≦βｘ≦１８０°」であり、上下に位置する角度（β１［上］とβ２［下］、β２［上］とβ３［下］またはβ３［上］とβ４［下］）の比率は、下の角度に対して上の角度がおおよそ「１．００倍〜１．０５倍」の関係にあり、特に、上方にあるほど、下の角度に対する上の角度の比率が大きい。また、反射板Ｂ  １１１ｂの断面の幅（奥行き）Ｗｂと反射板Ｂ  １１１ｂの高さＨａとでは、おおよそ面Ａ６の長さＬａ６分、Ｈａの方が長い。
【００２８】
面Ａ１と面Ｂ１、面Ａ２と面Ｂ２、面Ａ３と面Ｂ３、面Ａ４と面Ｂ４、面Ａ５と面Ｂ５および面Ａ６と面Ｂ６がそれぞれ接して反射板Ａ  １１１ａと反射板Ｂ  １１１ｂとが接合する。
【００２９】
図１７は、実施の形態１における反射板Ａ  １１１ａと反射板Ｂ  １１１ｂとを接合した正面図である。
図１８は、実施の形態１における反射板Ａ  １１１ａと反射板Ｂ  １１１ｂとを接合前の接合部βを拡大した正面図である。
図１９は、実施の形態１における反射板Ａ  １１１ａと反射板Ｂ  １１１ｂとを接合時の接合部βを拡大した正面図である。
図２０は、実施の形態１における反射板Ａ  １１１ａと反射板Ｂ  １１１ｂとを接合前の接合部αを拡大した正面図である。
図２１は、実施の形態１における反射板Ａ  １１１ａと反射板Ｂ  １１１ｂとを接合時の接合部αを拡大した正面図である。
反射板Ａ  １１１ａの切欠きＡ  １１４ａと反射板Ｂ  １１１ｂの切欠き切欠きＢ  １１４ｂとは、図１８、図１９に示すように、互いを嵌め合う関係にある。
また、反射板Ａ  １１１ａのツメ１１３と反射板Ｂ  １１１ｂのスリット１１２とは、図２０、図２１に示すように、互いを嵌め合う関係にある。
そして、反射板Ａ  １１１ａと反射板Ｂ  １１１ｂとを横方向（円周方向）に並べて、ツメ１１３をスリット１１２に入れると共に切欠きＡ  １１４ａと切欠きＢ  １１４ｂとが嵌め合うように反射板Ａ  １１１ａと反射板Ｂ  １１１ｂとをスライドさせて両反射板を組合せ、さらに、ツメ１１３を折り曲げることにより、図１７に示すように、反射板Ａ  １１１ａと反射板Ｂ  １１１ｂとを接合し多面体反射笠を組み立てる（主笠組立工程）。反射板Ａ  １１１ａの両端を反射板Ｂ  １１１ｂの両端に少し（例えば、１〜２ミリメートル）重ね合わせるようにすることで、接合した際に隙間を作らないようにできる。例えば、反射板Ａ  １１１ａを外側にして反射板Ｂ  １１１ｂに少し重ねて接合する。
多面体反射笠１１０を構成する各多面体反射板１１１にスリット１１２、ツメ１１３、切欠き１１４といった接合構造を有し、上記のように接合することにより、リベットやネジなどの部品を用いることなく多面体反射笠１１０を組み立てることができる。
【００３０】
図２２は、実施の形態１における埋込式の照明器具１００の正面断面図である。
照明器具１００の形態の一例として、天井９００に埋め込むダウンライトを図２２に基づいて以下に示す。
埋込式ダウンライトである照明器具１００は多面体反射笠１１０、深絞り反射笠１２０、ランプ１３０、電源装置１４０、設置器具１５０を有する。
多面体反射笠１１０と深絞り反射笠１２０とランプ１３０とは上記に説明したとおりである。
電源装置１４０はランプ１３０に電力を供給する装置である。
設置器具１５０は、照明器具１００を天井９００に設置するための器具であり、深絞り笠取付具１５１と固定具１５２と固定具スライド溝１５３とツバ１５４を有する。
深絞り笠取付具１５１は、設置器具１５０に深絞り反射笠１２０を簡易に取り付けるための器具であり、例えば、深絞り反射笠１２０を複数箇所で挟んで取り付けるバネ状の金具である。
固定具スライド溝１５３は固定具１５２が上下にスライドするスライド溝である。
ツバ１５４は、天井９００の下方に位置し、天井９００に開けられた照明器具取付口より大きい寸法（直径）を持つ。
固定具１５２は、天井９００の上方で固定具スライド溝１５３を上下にスライドし、天井９００の下方に位置するツバ１５４と共に天井９００を挟んで照明器具１００を固定する器具である。
【００３１】
照明器具１００の天井９００への設置は、電源装置１４０に接続された設置器具１５０に多面体反射笠１１０をネジなどにより取り付け、設置器具１５０を天井９００の照明器具取付口から天井９００内に挿入し、設置器具１５０を固定具１５２で天井９００に固定し、ランプ１３０を多面体反射笠１１０のランプ取付口からソケット１４１に挿入して取り付け、深絞り反射笠１２０を深絞り笠取付具１５１で設置器具１５０に取り付けることで行う。
【００３２】
図２３は、実施の形態１における吊り下げ形の照明器具１００の正面断面図である。
図２４は、実施の形態１における吊り下げ形の照明器具１００の正面断面図である。
上記で説明した深絞り反射笠１２０は、図２３、図２４に示すように、多面体反射笠１１０に被せる形状でも構わない。
また、ランプ１３０はＨＩＤ（高輝度放電灯）やハロゲンランプなど種類を問わない。
また、深絞り反射笠１２０は、図２３に示すように開口部（出射口）付近がおおよそ垂直方向に伸び断面を半円状にする形状でも構わないし、図２４に示すように開口部付近が垂直外側の方向に伸び断面を三角状にする形状でも構わない。
また、ランプ１３０の種類により異なる照度、明度、輝度、多面体反射笠１１０とランプ１３０との高さの比率で異なる器具効率、深絞り反射笠１２０の形状で異なる照射範囲などに応じて、ランプ遮光角θを変更するとよい。
例えば、ランプ１３０の照度、輝度、明度が高いほどランプ遮光角θを大きくし、多面体反射笠１１０に対してランプ１３０の高さが高いほどランプ遮光角θを大きくし、深絞り反射笠１２０の開口径が大きいほどランプ遮光角θを大きくするとよい。
図２３と図２４とのランプ遮光角θは「θ１＜θ２」の関係を示す。
【００３３】
図２５は、実施の形態１における照明器具１００と従来の照明器具との光反射率と器具効率との比較結果を示す表である。
図２６は、従来の照明器具の形状・寸法を示す正面断面図および底面半図である。
図２７は、実施の形態１における照明器具１００の形状・寸法を示す正面断面図および底面半図である。
【００３４】
図２５において、項番１はへら絞り加工により成形した従来の反射笠の結果であり、項番２はへら絞り加工したものにアルミ蒸着加工を行った従来の反射笠の結果であり、項番３は実施の形態１における多面体反射笠１１０と深絞り反射笠１２０とから成る反射笠の結果である。
項番１および項番２の反射笠の形状・寸法を図２６に示し、項番３の反射笠の形状・寸法を図２７に示す。図２５に示す結果は、図２６および図２７に示すように、同様な形状・寸法の反射笠を比較した結果である。
図２５において、項番３に対する「上部」、「下部」とは、それぞれ実施の形態１における多面体反射笠１１０と深絞り反射笠１２０とを示す。
反射笠（項番３の場合は多面体反射笠１１０）が入射した光量に対して、鏡面反射（入射角≒反射角）した光量の割合が「鏡面反射率」であり、鏡面反射せず拡散して反射した光量の割合が「拡散反射率」である。「鏡面反射率＋拡散反射率」が高いほど光反射率が高いため「器具効率」が高くなり、「鏡面反射率」が高く「拡散反射率」が低いほど光の反射方向を制御できるため「器具効率」が高くなる。
図２５に示すように、項番１、項番２、項番３の順で、「鏡面反射率」は高く、「拡散反射率」は低く、「器具効率」は高い。
【００３５】
上記実施の形態１における照明器具１００は、絞り加工で成型された反射笠に後工程にて銀またはアルミによる蒸着を行った従来の照明器具に対して、以下のような利点を有する。
平板の状態にて蒸着した材料（例えば、ミロ材）を後工程にて成型した反射笠（多面体反射笠１１０）を使用するため、成型後に蒸着を行なうことに対して安定した均一な反射率が得られる。
また、後工程で蒸着する従来の照明器具がサイズアップに伴い蒸着用設備に制限が発生するため、実施の形態１における照明器具１００は従来の照明器具に対して低コストにて製造することが可能であり、反射笠の開口径が大きくなるほどその効果は高い。
開口部近辺までを高反射率の多面体反射板で構成する従来の照明器具では多面体の反射面に対し正面となる方向から照明器具を見た場合に著しいグレアとなるが、実施の形態１における照明器具１００はランプ遮光角以下の角度までは通常の深絞りされた反射笠（深絞り反射笠１２０）であるのためグレアが発生しない。
【００３６】
上記実施の形態１において、多面体反射笠１１０は高反射率を有することができれば多面体でなく絞り加工などにより曲面体を形成してもよい。
また、深絞り反射笠１２０はグレアを発生しない反射率でありランプ遮光角においてランプ１３０と多面体反射笠１１０の内面とを遮蔽できれば曲面体でなく多面体でもよい。
【図面の簡単な説明】
【００３７】
【図１】実施の形態１における照明器具１００を示す下方からの斜視図。
【図２】実施の形態１における照明器具１００を示す上方からの斜視図。
【図３】実施の形態１における照明器具１００の正面断面図。
【図４】実施の形態１における多面体反射笠１１０を分解した上方からの斜視図。
【図５】実施の形態１における折り曲げ後の反射板Ａ  １１１ａの正面図。
【図６】実施の形態１における折り曲げ後の反射板Ａ  １１１ａの左側面図。
【図７】実施の形態１における折り曲げ後の反射板Ａ  １１１ａのＦａ方向からの平面図。
【図８】実施の形態１における折り曲げ後の反射板Ａ  １１１ａの上方からの斜視図。
【図９】実施の形態１における反射板Ａ  １１１ａのＡ１部を拡大した左側面図。
【図１０】実施の形態１における反射板Ａ  １１１ａのＡ１部を拡大した平面図。
【図１１】実施の形態１における反射板Ａ  １１１ａのＡ６部を拡大した正面図。
【図１２】実施の形態１における折り曲げ後の反射板Ｂ  １１１ｂの正面図。
【図１３】実施の形態１における折り曲げ後の反射板Ｂ  １１１ｂの左側面図。
【図１４】実施の形態１における折り曲げ後の反射板Ｂ  １１１ｂのＦｂ方向からの平面図。
【図１５】実施の形態１における折り曲げ後の反射板Ｂ  １１１ｂの上方からの斜視図。
【図１６】実施の形態１における反射板Ｂ  １１１ｂのＢ１部を拡大した正面図。
【図１７】実施の形態１における反射板Ａ  １１１ａと反射板Ｂ  １１１ｂとを接合した正面図。
【図１８】実施の形態１における反射板Ａ  １１１ａと反射板Ｂ  １１１ｂとを接合前の接合部βを拡大した正面図。
【図１９】実施の形態１における反射板Ａ  １１１ａと反射板Ｂ  １１１ｂとを接合時の接合部βを拡大した正面図。
【図２０】実施の形態１における反射板Ａ  １１１ａと反射板Ｂ  １１１ｂとを接合前の接合部αを拡大した正面図。
【図２１】実施の形態１における反射板Ａ  １１１ａと反射板Ｂ  １１１ｂとを接合時の接合部αを拡大した正面図。
【図２２】実施の形態１における埋込式の照明器具１００の正面断面図。
【図２３】実施の形態１における吊り下げ形の照明器具１００の正面断面図。
【図２４】実施の形態１における吊り下げ形の照明器具１００の正面断面図。
【図２５】実施の形態１における照明器具１００と従来の照明器具との光反射率と器具効率との比較結果を示す表。
【図２６】従来の照明器具の形状・寸法を示す正面断面図および底面半図。
【図２７】実施の形態１における照明器具１００の形状・寸法を示す正面断面図および底面半図。
【符号の説明】
【００３８】
１００  照明器具、１１０  多面体反射笠、１１１  多面体反射板、１１１ａ  反射板Ａ、１１１ｂ  反射板Ｂ、１１２  スリット、１１３  ツメ、１１４  切欠き、１１４ａ  切欠きＡ、１１４ｂ  切欠きＢ、１２０  深絞り反射笠、１３０  ランプ、１４０  電源装置、１４１  ソケット、１５０  設置器具、１５１  深絞り笠取付具、１５２  固定具、１５３  固定具スライド溝、１５４  ツバ、９００  天井。
【図１】
0004598699.tif 000002
【図２】
0004598699.tif 000003
【図３】
0004598699.tif 000004
【図４】
0004598699.tif 000005
【図５】
0004598699.tif 000006
【図６】
0004598699.tif 000007
【図７】
0004598699.tif 000008
【図８】
0004598699.tif 000009
【図９】
0004598699.tif 000010
【図１０】
0004598699.tif 000011
【図１１】
0004598699.tif 000012
【図１２】
0004598699.tif 000013
【図１３】
0004598699.tif 000014
【図１４】
0004598699.tif 000015
【図１５】
0004598699.tif 000016
【図１６】
0004598699.tif 000017
【図１７】
0004598699.tif 000018
【図１８】
0004598699.tif 000019
【図１９】
0004598699.tif 000020
【図２０】
0004598699.tif 000021
【図２１】
0004598699.tif 000022
【図２２】
0004598699.tif 000023
【図２３】
0004598699.tif 000024
【図２４】
0004598699.tif 000025
【図２５】
0004598699.tif 000026
【図２６】
0004598699.tif 000027
【図２７】
0004598699.tif 000028